【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
没水状態で動作させる３次元低抗力水中浮揚体において、前記浮揚体が前後方向の軸線及び外表面を有し、前記外表面の形状が、（ａ）平面図上で、前記前後方向の軸線の第１の側において頂点が前記前後方向の軸線上にある第１の放物曲線に合同であり、前記軸の第２の側において頂点が同じく前記前後方向の軸線上にある異なる第２の放物曲線に合同であって、平面図上で前記放物曲線が合せて前記浮揚体に対する前縁を定め、（ｂ）前記前後方向の軸線に平行な縦断面において、前記第１及び第２の放物曲線によって定められる前記前縁上にある頂点を有し、艫側にあらかじめ定められた距離まで延びる、対称であって凸尾状でほぼ放物線形の水中翼曲線に合同であり、前記放物翼の形の縦断面の厚さが前記浮揚体の前記前後方向の軸線から前記浮揚体の前記前縁にかけて減少することを特徴とする低抗力水中浮揚体。
【請求項２】
前記浮揚体の前記前後方向の軸線を横切る前記浮揚体の最大幅が、前記最大幅及び前記前後方向の軸線に垂直な方向の厚さ以上であることを特徴とする請求項１に記載の低抗力水中浮揚体。
【請求項３】
前記浮揚体が前記前後方向の軸線に沿うあらかじめ定められた長さを有し、前記軸の前記第１の側において前記浮揚体の前記長さを横切る第３の放物曲線の線分によって定められる尾部を有することを特徴とする請求項２に記載の低抗力水中浮揚体。
【請求項４】
前記前後方向の軸線に平行に前記浮揚体と交差する前記縦断面のそれぞれにおける前記浮揚体の前記実質的に水中放物線形の翼形状は前記前後方向の軸線に平行な平面において前記浮揚体の前記形状に相似であるが、前記それぞれの縦断面における前記翼形状は前記それぞれの縦断面の位置が前記浮揚体の前記前後方向の軸線から離れるほど小さくなることを特徴とする請求項３に記載の低抗力水中浮揚体。
【請求項５】
前記浮揚体が、舳先及び艫、平面図上の側縁、あらかじめ定められた長さ及び尾部を有し、前記尾部が、前記浮揚体の前記前後方向の軸線に平行な断面において、前記前後方向の軸線に平行に前記浮揚体と交差する面のそれぞれにおける前記それぞれの面の前記側縁との交点から前記長さ寸法の約２/３にある点から前記艫にかけて漸次減少する高さ寸法を有することを特徴とする請求項２に記載の低抗力水中浮揚体。
【請求項６】
前記艫が、前記浮揚体の前記長さを横切り、前記前後方向の軸線の第１の側にある、第３の放物曲線の線分によって定められることを特徴とする請求項５に記載の低抗力水中浮揚体。
【請求項７】
前記浮揚体が、前記前後方向の軸線の両側に左側浮揚体区画及び右側浮揚体区画を有し、前記第２の放物曲線によって定められる前記浮揚体区画が回転放物体の半分の形につくられていることを特徴とする請求項１に記載の低抗力水中浮揚体。
【請求項８】
前記浮揚体の最大厚が前記浮揚体の前記長さの１０％と３３％の間にあることを特徴とする請求項２に記載の低抗力水中浮揚体。
【請求項９】
前記浮揚体が１０％から１５０％のアスペクト比を有することを特徴とする請求項８に記載の低抗力水中浮揚体。
【請求項１０】
没水状態で動作させる３次元低抗力水中浮揚体において、前記浮揚体が前後方向の軸線及び外表面を有し、前記外表面の形状が、（ａ）平面図上で、前記前後方向の軸線の第１の側において頂点が前記前後方向の軸線上にある第１の放物曲線に合同であり、前記軸の第２の側において頂点が同じく前記前後方向の軸線上にある異なる第２の放物曲線に合同であって、前記放物曲線が合せて平面図上で前記浮揚体に対する前縁を定め、（ｂ）前記前後方向の軸線に平行な縦断面において、前記第１及び第２の放物曲線によって定められる前記前縁上にある頂点を有し、艫側にあらかじめ定められた距離まで延びる、対称であって凸尾状でほぼ放物線形の翼曲線に合同であり、前記放物翼の形の縦断面の厚さが前記浮揚体の前記前後方向の軸線から前記浮揚体の前記前縁にかけて減少し、前記浮揚体が、舳先及び艫、並びに前記舳先から前記艫まで延びるあらかじめ定められた長さを有し、前記第１の放物曲線の幅が前記舳先から前記艫にかけて増大し、前記艫が、前記第１の放物曲線の最大幅部分から前記軸まで延び、前記浮揚体の前記長さを横切る、第３の放物曲線の線分によって定められることを特徴とする抵抗力水中浮揚体。
【請求項１１】
前記浮揚体の前記前後方向の軸線を横切る前記浮揚体の最大幅が、前記最大幅及び前記前後方向の軸線に垂直な方向の厚さ以上であることを特徴とする請求項１０に記載の低抗力水中浮揚体。
【請求項１２】
前記前後方向の軸線に平行に前記浮揚体と交差する前記縦断面のそれぞれにおける前記浮揚体の前記実質的に放物線形の翼形状は前記前後方向の軸線に平行な平面において前記浮揚体の前記形状に相似であるが、前記それぞれの縦断面における前記翼形状は前記それぞれの縦断面の位置が前記浮揚体の前記中心線である前後方向の軸線から離れるほど小さくなることを特徴とする請求項１１に記載の低抗力水中浮揚体。
【請求項１３】
前記浮揚体が、前記前後方向の軸線の両側に左側浮揚体区画及び右側浮揚体区画を有し、前記第２の放物曲線によって定められる前記浮揚体区画が回転放物体の半分の形につくられていることを特徴とする請求項１１に記載の低抗力水中浮揚体。
【請求項１４】
前記浮揚体が、舳先及び艫、平面図上の側縁、あらかじめ定められた長さ及び尾部を有し、前記尾部が前記浮揚体の前記前後方向の軸線に平行な断面において前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項１１に記載の低抗力水中浮揚体。
【請求項１５】
前記浮揚体の最大厚が前記浮揚体の前記長さの１０％と３３％の間にあることを特徴とする請求項１１に記載の低抗力水中浮揚体。
【請求項１６】
前記浮揚体が１０％から１５０％のアスペクト比を有することを特徴とする請求項１５に記載の低抗力水中浮揚体。
【請求項１７】
没水状態で動作させる３次元低抗力水中浮揚体において、前記浮揚体が前後方向の軸線及び外表面を有し、前記外表面の形状が、（ａ）平面図上で前記浮揚体に対する前縁及び（ｂ）縦断面において、前記浮揚体の前記前縁上にあって、前記前後方向の軸線に平行な平面にある頂点を有する、対称であってほぼ放物線形の翼曲線によって定められ、前記浮揚体が前記前後方向の軸線の両側に第１の浮揚体区画及び第２の浮揚体区画並びに、前記第１の浮揚体区画と前記第２の浮揚体区画の間にあって、前記前後方向の軸線の第１の側に配置される中央区画を有し、前記第１の浮揚体区画及び前記第２の浮揚体区画が、平面図上でそれぞれの頂点が前記中央区画の両側で前記前縁上にある相異なる第１の放物曲線及び第２の放物曲線に合同であり、前記中央区画が、縦断面において前記中央区画の幅にわたって前記第１の浮揚体区画及び前記第２の浮揚体区画の間で前記前後方向の軸線に平行な平面で一様である放物翼形状を有し、前記第１の浮揚体区画及び前記第２の浮揚体区画の前記翼形状の厚さが前記浮揚体の前記前後方向の軸線から前記浮揚体の前記縁にかけて減少していることを特徴とする低抗力水中浮揚体。
【請求項１８】
前記浮揚体の前記前後方向の軸線を横切る前記浮揚体の最大幅が、前記最大幅及び前記前後方向の軸線に垂直な方向の厚さ以上であることを特徴とする請求項１７に記載の低抗力水中浮揚体。
【請求項１９】
前記浮揚体が、舳先及び艫並びに前記前後方向の軸線に沿うあらかじめ定められた長さ及び、前記軸の前記中央区画とは逆の側で前記浮揚体の前記長さを横切る第３の放物曲線の線分によって定められる、尾部を有することを特徴とする請求項１８に記載の低抗力水中浮揚体。
【請求項２０】
前記前後方向の軸線を横切って延びる艫部分を前記中央区画に有することを特徴とする請求項１９に記載の低抗力水中浮揚体。
【請求項２１】
前記前後方向の軸線に平行な前記平面のそれぞれにおける前記第１の浮揚体区画及び前記第２の浮揚体区画における前記浮揚体の前記実質的に放物線形の翼形状は前記前後方向の軸線に平行な平面において前記浮揚体の前記形状に相似であるが、前記それぞれの平面における前記翼形状は前記それぞれの縦断面の位置が前記浮揚体の前記中心線である前後方向の軸線から離れるほど小さくなることを特徴とする請求項２０に記載の低抗力水中浮揚体。
【請求項２２】
前記浮揚体の前記中央区画を含む側の前記浮揚体区画が、放物線方程式が前記中央区画の放物線方程式と同じである、回転放物体の半分の形につくられることを特徴とする請求項２１に記載の低抗力水中浮揚体。
【請求項２３】
前記浮揚体が、舳先及び艫、平面図上の側縁、あらかじめ定められた長さ及び尾部を有し、前記尾部が、前記浮揚体の前記前後方向の軸線に平行な断面において、前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項１８に記載の低抗力水中浮揚体。
【請求項２４】
前記艫が、前記前後方向の軸線の前記中央区画とは逆の側で、前記浮揚体の前記長さを横切る第３の放物曲線によって定められることを特徴とする請求項２３に記載の抵抗力水中浮揚体。
【請求項２５】
前記浮揚体の最大厚が前記浮揚体の前記長さの１０％と３３％の間にあることを特徴とする請求項１８に記載の低抗力水中浮揚体。
【請求項２６】
前記浮揚体が１０％から１５０％のアスペクト比を有することを特徴とする請求項２５に記載の低抗力水中浮揚体。
【請求項２７】
第１の船体を備える船であって、前記第１の船体が、表面水線、前記第１の船体から懸垂する少なくとも１つの支材及び前記船の運航中に前記水線の下で前記支材に固定されている３次元没水浮揚体を有する、船において、前記浮揚体が前後方向の軸線及び外表面を有し、前記外表面の形状が、（ａ）平面図上で、前記前後方向の軸線の第１の側において頂点が前記前後方向の軸線上にある第１の放物曲線に合同であり、前記前後方向の軸線の第２の側において頂点が同じく前記前後方向の軸線上にある異なる第２の放物曲線に合同であって、前記放物曲線が合せて平面図上で前記浮揚体に対する前縁を定め、（ｂ）前記前後方向の軸線に平行な縦断面において、前記第１及び第２の放物曲線によって定められる前記前縁上にある頂点を有し、艫側にあらかじめ定められた距離まで延びる、対称であって凸尾状でほぼ放物線形の翼曲線に合同であり、縦断面での前記放物翼の形の縦断面の厚さが前記浮揚体の前記前後方向の軸線から前記浮揚体の前記前縁にかけて減少することを特徴とする船。
【請求項２８】
前記浮揚体の前記前後方向の軸線を横切る前記浮揚体の最大幅が、前記最大幅及び前記前後方向の軸線に垂直な方向の厚さ以上であることを特徴とする請求項２７に記載の船。
【請求項２９】
前記浮揚体が前記前後方向の軸線に沿うあらかじめ定められた長さを有し、前記前後方向の軸線の前記第１の側において前記浮揚体の前記長さを横切る第３の放物曲線の線分によって定められる尾部を有することを特徴とする請求項２８に記載の船。
【請求項３０】
前記前後方向の軸線に平行に前記浮揚体と交差する前記縦断面のそれぞれにおける前記浮揚体の前記実質的に放物線形の翼形状は前記前後方向の軸線に平行な平面において前記浮揚体の前記形状に相似であるが、前記それぞれの縦断面における前記翼形状は前記それぞれの縦断面の位置が前記浮揚体の前記前後方向の軸線から離れるほど小さくなることを特徴とする請求項２９に記載の船。
【請求項３１】
前記浮揚体が、舳先及び艫、平面図上の側縁、あらかじめ定められた長さ及び尾部を有し、前記尾部が、前記浮揚体の前記前後方向の軸線に平行な断面において前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項２８に記載の船。
【請求項３２】
前記艫が、前記浮揚体の前記長さを横切る第３の放物曲線の線分によって定められることを特徴とする請求項３１に記載の船。
【請求項３３】
前記浮揚体が、前記前後方向の軸線の両側に左側浮揚体区画及び右側浮揚体区画を有し、前記第２の放物曲線によって定められる前記浮揚体区画が回転放物体の半分の形につくられることを特徴とする請求項２７に記載の船。
【請求項３４】
前記浮揚体の最大厚が前記浮揚体の前記長さの１０％と３３％の間にあることを特徴とする請求項２７に記載の船。
【請求項３５】
前記浮揚体が１０％から１５０％のアスペクト比を有することを特徴とする請求項３４に記載の船。
【請求項３６】
前記第１の船体から懸垂する少なくとも２つの支材及び、それぞれが前記支材に固定された、一対の前記３次元没水浮揚体を備えることを特徴とする請求項２７に記載の船。
【請求項３７】
前記浮揚体の前記前後方向の軸線が前記船の船首方向で互いに対して開いていることを特徴とする請求項３６に記載の船。
【請求項３８】
前記浮揚体の前記前後方向の軸線が前記船の船首の方向で互いに向けて閉じていることを特徴とする請求項３６に記載の船。
【請求項３９】
前記浮揚体に連結している翼形状の水平翼を備えることを特徴とする請求項３７に記載の船。
【請求項４０】
前記翼形水平翼が複合翼体として前記浮揚体に結合され、前記浮揚体との結合部における前記翼形水平翼の厚さが前記結合部における前記浮揚体の厚さと実質的に同じであることを特徴とする請求項３９に記載の船。
【請求項４１】
前記船が船首及び船尾を有し、前記浮揚体が前記船尾の前方で前記船の後部に取り付けられることを特徴とする請求項３７に記載の船。
【請求項４２】
前記船首の後方で前記船の前部に取り付けられた３次元対称低抗力水中浮揚体を備えることを特徴とする請求項４１に記載の船。
【請求項４３】
前記船の中央部に取り付けられた第２の対の浮揚体を備えることを特徴とする請求項４１に記載の船。
【請求項４４】
前記船が舳先−艫キールを備える単胴船であり、前記第２の対の浮揚体がそれぞれ翼形支持横桁部材によって前記キールに隣接して前記船の前記船体に連結されていることを特徴とする請求項４３に記載の船。
【請求項４５】
第１の船体を備える船であって、前記第１の船体が、表面水線、前記第１の船体から懸垂する少なくとも１つの支材及び前記船の運航中に前記水線の下で前記支材に固定された３次元没水浮揚体を有する船において、前記浮揚体が前後方向の軸線及び外表面を有し、前記外表面の形状が、（ａ）平面図上で、前記前後方向の軸線の第１の側において頂点が前記前後方向の軸線上にある第１の放物曲線に合同であり、前記前後方向の軸線の第２の側において頂点が同じく前記前後方向の軸線上にある異なる第２の放物曲線に合同であって、前記放物曲線が合せて平面図上で前記浮揚体の前縁を定め、（ｂ）前記前後方向の軸線に平行な縦断面において、前記第１及び第２の放物曲線によって定められる前記前縁上にある頂点を有し、艫側にあらかじめ定められた距離まで延びる、対称であって凸尾状でほぼ放物線形の翼曲線に合同であり、前記放物翼の形の縦断面の厚さが前記浮揚体の前記前後方向の軸線から前記浮揚体の前記前縁にかけて減少しており、前記浮揚体が、舳先及び艫、並びに前記舳先から前記艫まで延びるあらかじめ定められた長さを有し、前記第１の放物曲線の幅が前記舳先から前記艫にかけて増大し、前記艫が、前記浮揚体の前記長さを横切る第３の放物曲線の線分によって定められ、前記第１の放物曲線の最大幅部分にあることを特徴とする船。
【請求項４６】
前記浮揚体の前記前後方向の軸線を横切る前記浮揚体の最大幅が、前記最大幅及び前記前後方向の軸線に垂直な方向の厚さ以上であることを特徴とする請求項４５に記載の船。
【請求項４７】
前記前後方向の軸線に平行に前記浮揚体と交差する前記縦断面のそれぞれにおける前記浮揚体の前記実質的に放物線形の翼形状は前記前後方向の軸線に平行な平面において前記浮揚体の前記形状に相似であるが、前記それぞれの縦断面における前記翼形状は前記それぞれの縦断面の位置が前記浮揚体の前記中心線である前後方向の軸線から離れるほど小さくなることを特徴とする請求項４６に記載の船。
【請求項４８】
前記浮揚体が、舳先及び艫、平面図上の側縁、あらかじめ定められた長さ及び尾部を有し、前記尾部が、前記浮揚体の前記前後方向の軸線に平行な断面において前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項４６に記載の船。
【請求項４９】
前記艫が、前記浮揚体の前記長さを横切る第３の放物曲線によって定められることを特徴とする請求項４８に記載の船。
【請求項５０】
前記浮揚体の最大厚が前記浮揚体の前記長さの１０％と３３％の間にあることを特徴とする請求項４６に記載の船。
【請求項５１】
前記浮揚体が１０％から１５０％のアスペクト比を有することを特徴とする請求項５０に記載の船。
【請求項５２】
前記第１の船体から懸垂する少なくとも２つの支材及び、それぞれが前記支材に固定された、一対の前記３次元没水浮揚体を備えることを特徴とする請求項４８に記載の船。
【請求項５３】
前記浮揚体の前記前後方向の軸線が前記船の船首の方向で互いに対して開いていることを特徴とする請求項５２に記載の船。
【請求項５４】
前記浮揚体の前記前後方向の軸線が前記船の船首の方向で互いに向けて閉じていることを特徴とする請求項５２に記載の船。
【請求項５５】
前記浮揚体に連結している翼形状の水平翼を備えることを特徴とする請求項５３に記載の船。
【請求項５６】
前記翼形水平翼が複合翼体として前記浮揚体に結合され、前記浮揚体との結合部における前記翼形水平翼の厚さが前記結合部における前記浮揚体の厚さと実質的に同じであることを特徴とする請求項５５に記載の船。
【請求項５７】
前記船が船首及び船尾を有し、前記浮揚体が前記船尾の前方で前記船の後部に取り付けられることを特徴とする請求項５３に記載の船。
【請求項５８】
前記船首の後方で前記船の前部に取り付けられた３次元対称低抗力水中浮揚体を備えることを特徴とする請求項５７に記載の船。
【請求項５９】
前記船の中央部に取り付けられた第２の対の前記浮揚体を備えることを特徴とする請求項５７に記載の船。
【請求項６０】
前記船が舳先−艫キールを備える単胴船であり、前記第２の対の浮揚体がそれぞれ翼形支持横桁部材によって前記キールに隣接して前記船の前記船体に連結されていることを特徴とする請求項５９に記載の船。
【請求項６１】
船首において前記船の前部に取り付けられた３次元対称低抗力水中浮揚体を備えることを特徴とする請求項６０に記載の船。
【請求項６２】
前記対称低抗力水中浮揚体が舳先部分及び艫部分を有し、前記第１の船体の船首が前記対称低抗力浮揚体の前記舳先部分に固定されていることを特徴とする請求項６１に記載の船。
【請求項６３】
単胴船体を備える船であって、前記単胴船体が、表面水線及び、前記船の運航中に前記水線の下で前記単胴船体の船首に固定された３次元没水浮揚体を有する船において、前記浮揚体が前後方向の軸線及び外表面を有し、前記外表面の形状が、（ａ）平面図上で、前記前後方向の軸線の第１の側において頂点が前記前後方向の軸線上にある第１の放物曲線に合同であり、前記軸の第２の側において頂点が同じく前記前後方向の軸線上にある放物曲線に合同であって、前記放物曲線が合せて平面図上で前記浮揚体の前縁を定め、（ｂ）前記前後方向の軸線に平行な縦断面において、前記第１及び第２の放物曲線によって定められる前記前縁上にある頂点を有し、艫側にあらかじめ定められた距離まで延びる、対称であって凸尾状でほぼ放物線形の翼曲線に合同であり、前記放物翼の形の縦断面の厚さが前記浮揚体の前記前後方向の軸線から前記浮揚体の前記前縁にかけて減少し、前記浮揚体が、舳先及び艫、並びに前記舳先から前記艫まで延びるあらかじめ定められた長さを有し、前記第１の放物曲線の幅が前記舳先から前記艫にかけて増大し、前記艫が、前記浮揚体の前記長さを横切る第３の放物曲線の線分によって定められ、前記第１の放物曲線の最大幅部分にあり、前記浮揚体の前記艫が前記浮揚体の前記長さを横切る第３の放物曲線によって定められ、前記浮揚体の最大厚が前記浮揚体の前記長さの１０％と３３％の間にあり、艫側の前記浮揚体が前記単胴船体の船尾の下で前記単胴船体に固定されることを特徴とする船。
【請求項６４】
第１の船体を備える船であって、前記第１の船体が、表面水線、前記第１の船体から懸垂する少なくとも１つの支材及び前記船の運航中に前記水線の下で前記支材に固定された３次元没水浮揚体を有する船において、前記浮揚体が前後方向の軸線及び外表面を有し、前記外表面の形状が、（ａ）平面図上で前記浮揚体に対する前縁及び（ｂ）縦断面において、前記浮揚体の前記前縁上にあって、前記前後方向の軸線に平行な平面上にある頂点を有する、対称であってほぼ放物線形の翼曲線によって定められれ、前記浮揚体が前記前後方向の軸線の両側に第１浮揚体区画及び第２の浮揚体区画並びに、前記第１の浮揚体区画と前記第２の浮揚体区画の間にあって、前記前後方向の軸線の第１の側に配置される中央区画を有し、前記第１の浮揚体区画及び前記第２の浮揚体区画が、平面図上でそれぞれの頂点が前記中央区画の両側で前記前縁上にある相異なる第１の放物曲線及び第２の放物曲線に合同であり、前記中央区画が、縦断面において前記中央区画の幅にわたって前記第１の浮揚体区画及び前記第２の浮揚体区画の間で前記前後方向の軸線に平行な平面上で一様である放物翼形状を有し、前記第１の浮揚体区画及び前記第２の浮揚体区画の前記翼形状の厚さが前記浮揚体の前記前後方向の軸線から前記浮揚体の前記縁にかけて減少することを特徴とする船。
【請求項６５】
前記浮揚体の前記前後方向の軸線を横切る前記浮揚体の最大幅が、前記最大幅及び前記前後方向の軸線に垂直な方向の厚さ以上であることを特徴とする請求項６４に記載の船。
【請求項６６】
前記前後方向の軸線に平行に前記浮揚体と交差する前記縦断面のそれぞれにおける前記浮揚体の前記実質的に放物線形の翼形状は前記前後方向の軸線に平行な平面において前記浮揚体の前記形状に相似であるが、前記それぞれの縦断面における前記翼形状は前記それぞれの縦断面の位置が前記浮揚体の前記中心線である前後方向の軸線から離れるほど小さくなることを特徴とする請求項６５に記載の船。
【請求項６７】
前記浮揚体が、舳先及び艫、平面図上の側縁、あらかじめ定められた長さ及び尾部を有し、前記尾部が、前記浮揚体の前記前後方向の軸線に平行な断面において前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項６５に記載の船。
【請求項６８】
前記艫が、前記浮揚体の前記長さを横切る第３の放物曲線の線分によって定められることを特徴とする請求項６７に記載の船。
【請求項６９】
前記浮揚体の最大厚が前記浮揚体の前記長さの１０％と３３％の間にあることを特徴とする請求項６５に記載の船。
【請求項７０】
前記浮揚体が１０％から１５０％のアスペクト比を有することを特徴とする請求項６９に記載の船。
【請求項７１】
前記第１の船体から懸垂する少なくとも２つの支材及び、それぞれが前記支材に固定された、一対の前記３次元没水浮揚体を備えることを特徴とする請求項６７に記載の船。
【請求項７２】
前記浮揚体の前記前後方向の軸線が前記船の船首の方向で互いに対して開いていることを特徴とする請求項７１に記載の船。
【請求項７３】
前記浮揚体の前記前後方向の軸線が前記船の船首の方向で互いに向けて閉じていることを特徴とする請求項７１に記載の船。
【請求項７４】
前記浮揚体に連結している翼形状の水平翼を備えることを特徴とする請求項７２に記載の船。
【請求項７５】
前記翼形水平翼が複合翼体として前記浮揚体に結合され、前記浮揚体との結合部における前記翼形水平翼の厚さが前記結合部における前記浮揚体の厚さと実質的に同じであることを特徴とする請求項７４に記載の船。
【請求項７６】
前記船が船首及び船尾を有し、前記浮揚体が前記船尾の前方で前記船の後部に取り付けられることを特徴とする請求項７２に記載の船。
【請求項７７】
前記船首の後方で前記船の前部に取り付けられた３次元対称低抗力水中浮揚体を備えることを特徴とする請求項７６に記載の船。
【請求項７８】
前記船の中央部に取り付けられた第２の対の前記浮揚体を備えることを特徴とする請求項７６に記載の船。
【請求項７９】
前記船が舳先−艫キールを備える単胴船であり、前記第２の対の浮揚体がそれぞれ翼形支持横桁部材によって前記キールに隣接して前記船の前記船体に連結されることを特徴とする請求項７８に記載の船。
【請求項８０】
少なくとも１つの船体を備える船であって、前記船体が表面水線及び前後方向の軸線及び没水状態における動作のために前記水線より下で前記船体に固定された３次元低抗力水中浮揚体を有する船において、前記浮揚体が、平面図上で、前記船体に対して前記前後方向の軸線方向に延び、前記船体に固定されている第１の側を有し、前記浮揚体が前縁及び外側浸水面を有し、前記外側浸水面の形状が、（ａ）平面図上で前記浮揚体の前記第１の側の最前部が前記船体に結合する場所に頂点がおかれる第１の放物曲線の線分に合同であり、（ｂ）前記船体の前記前後方向の軸線に平行な縦断面において、前記浮揚体の前記前縁上にある頂点を有し、艫方向にあらかじめ定められた距離まで延びる、対称であって凸尾状でほぼ放物線形の翼曲線に合同であり、前記放物翼の形の縦断面の厚さが前記浮揚体の前記第１の側から前記浮揚体の前記前縁にかけて減少していることを特徴とする船。
【請求項８１】
前記船体の前記前後方向の軸線を横切る方向での前記浮揚体の最大幅が、前記最大幅及び前記前後方向の軸線に垂直な方向の厚さ以上であることを特徴とする請求項８０に記載の船。
【請求項８２】
前記浮揚体が、前記前後方向の軸線方向にあらかじめ定められた長さを有し、前記浮揚体の前記長さを横切る第２の放物曲線の線分によって定められ、前記船体から延びる、尾部を有することを特徴とする請求項８１に記載の船。
【請求項８３】
前記船体の前記前後方向の軸線に平行に前記浮揚体と交差する前記縦断面のそれぞれにおける前記浮揚体の前記実質的に放物線形の翼形状は前記船体の前記前後方向の軸線に平行な平面において前記浮揚体の前記形状に相似であるが、前記それぞれの縦断面における前記翼形状は前記それぞれの縦断面の位置が前記浮揚体の前記前後方向の軸線から離れるほど小さくなることを特徴とする請求項８２に記載の船。
【請求項８４】
前記浮揚体が、舳先及び艫、平面図上の側縁、あらかじめ定められた長さ及び尾部を有し、前記尾部が、前記船体の前記前後方向の軸線に平行な断面において前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項８１に記載の船。
【請求項８５】
前記艫が、前記浮揚体の前記長さを横切第２の放物曲線の線分によって定められ、前記船体から延びることを特徴とする請求項８４に記載の船。
【請求項８６】
前記浮揚体の最大厚が前記浮揚体の前記長さの１０％と３３％の間にあることを特徴とする請求項８１に記載の船。
【請求項８７】
前記浮揚体が１０％から１５０％のアスペクト比を有することを特徴とする請求項８６に記載の船。
【請求項８８】
それぞれの前記浮揚体の前記第１の側に沿って前記船体の両側に固定された一対の前記浮揚体を備えることを特徴とする請求項８０に記載の船。
【請求項８９】
表面水線及び前後方向の軸線を有する一対の横方向に隔てられた平行な船体及び、それぞれの前記浮揚体の前記第１の側に沿って前記船体にそれぞれ固定され、互いに向かって延びる、少なくとも一対の前記浮揚体を備えることを特徴とする請求項８０に記載の船。
【請求項９０】
前記浮揚体が回転放物体の半分の形につくられることを特徴とする請求項８９に記載の船。
【請求項９１】
少なくとも１つの船体を備える船であって、前記船体が表面水線及び前後方向の軸線及び没水状態における動作のために前記水線より下で前記船体に固定された３次元低抗力水中浮揚体を有する船において、前記浮揚体が、平面図上で、前記船体に対して前記前後方向の軸線の方向に延び、前記船体に固定された、第１の側を有し、前記浮揚体が外側浸水面を有し、前記外側浸水面の形状が、（ａ）平面図上で前記浮揚体の前縁及び（ｂ）縦断面において、前記浮揚体の前記前縁上にあって、前記前後方向の軸線に平行な平面にある頂点を有する、対称でほぼ放物線形の翼曲線によって定められ、前記浮揚体が第１及び第２の区画を有し、前記第１の区画は、平面図上で、頂点が前記前縁の前部に頂点がある第１の放物曲線の線分に合同であり、前記第１の区画に結合された前記第２の区画は縦断面において前記第２の区画の幅にわたり前記前後方向の軸線に平行な平面において一様である放物翼形状を有し、前記第２の区画は前記浮揚体の前記第１の側を含み、前記第１の区画の前記放物曲線の厚さは、前記第１の区画の幅に沿い前記第１の区画の縁端にかけて減少していることを特徴とする船。
【請求項９２】
前記船体の前記前後方向の軸線を横切る方向での前記浮揚体の最大幅が、前記最大幅及び前記前後方向の軸線に垂直な方向の厚さ以上であることを特徴とする請求項９１に記載の船。
【請求項９３】
前記前後方向の軸線を横切る方向に延びる前記浮揚体の前記第２の区画に尾部を備えることを特徴とする請求項９２に記載の船。
【請求項９４】
前記浮揚体の前記第１の区画が、放物線方程式が前記第２の区画の放物線方程式と同じである、回転放物体の形につくられることを特徴とする請求項９３に記載の船。
【請求項９５】
前記浮揚体が、舳先及び艫、平面図上の側縁、あらかじめ定められた長さ及び尾部を有し、前記尾部が、前記浮揚体の前後方向の軸線に平行な断面において前記前後方向の軸線に平行に前記浮揚体と交差する面のそれぞれにおける、前記それぞれの面の前記側縁との交点から前記長さ寸法の約２/３にある点から前記艫にかけて漸次減少する高さ寸法を有することを特徴とする請求項９２に記載の船。
【請求項９６】
前記支材が翼の形につくられ、前記支材のそれぞれがそれぞれに関係付けられる浮揚体に複合翼体として結合され、前記浮揚体との結合部における前記翼の厚さが前記接合部における前記浮揚体の厚さと実質的に同じであることを特徴とする請求項３６に記載の船。
【請求項９７】
前記翼形横桁部材のそれぞれがそれぞれに関係付けられる浮揚体に複合翼体として結合されることを特徴とする請求項４４に記載の船。
【請求項９８】
請求項５５に記載の船において、少なくとも１つの船体を備え、前記船体が表面水線及び前後方向の軸線及び没水状態で動作させる前記水線より下で前記船体に固定された３次元低抗力水中浮揚体を有し、前記浮揚体が、平面図上で、前記船体に対して前記前後方向の軸線の方向に延び、前記船体に固定された、第１の側を有し、前記浮揚体は外側浸水面を有し、前記外側浸水面の形状が、（ａ）平面図上で前記浮揚体に対する前縁及び（ｂ）縦断面において、前記浮揚体の前記前縁上にあって、前記前後方向の軸線に平行な平面にある頂点を有する、対称でほぼ放物線形の翼曲線によって定められ、前記浮揚体が第１及び第２の区画を有し、前記第１の区画は、平面図上で、頂点が前記前縁の前部にある第１の放物曲線の線分に合同であり、前記第１の区画に結合された前記第２の区画は縦断面において前記第２の区画の幅にわたり前記前後方向の軸線に平行な平面において一様である放物翼形状を有し、前記第２の区画は前記浮揚体の前記第１の側を含み、前記第１の区画の前記第１の放物曲線の厚さは、前記第１の区画の幅に沿い前記第１の区画の縁端にかけて減少していることを特徴とする船。
【請求項９９】
前記船浮揚体の前記前後方向の軸線を横切る方向での前記浮揚体の最大幅が、前記最大幅及び前記前後方向の軸線に垂直な方向の厚さ以上であることを特徴とする請求項６０に記載の船。
【請求項１００】
前記船浮揚体の前記前後方向の軸線を横切る方向での前記浮揚体の最大幅が、前記最大幅及び前記前後方向の軸線に垂直な方向の厚さ以上であることを特徴とする請求項７４に記載の船。
【請求項１０１】
前記船浮揚体の前記前後方向の軸線を横切る方向での前記浮揚体の最大幅が、前記最大幅及び前記前後方向の軸線に垂直な方向の厚さ以上であることを特徴とする請求項７９に記載の船。
【請求項１０２】
船首の水切りに取り付けられた、前記水切りから前方に水中に延びる浮揚体を有する船の船体。
【請求項１０３】
前記船首の水切りの、前記浮揚体への前縁取付点は、前記浮揚体の縦方向の前半部にあることを特徴とする請求項１０２に記載の船の船体
【請求項１０４】
前記設計水線の下であって、且つ前記浮揚体との取付交点の上の前記船体の横断面は平面視が凸尾状であることを特徴とする請求項１０２に記載の船の船体。
【請求項１０５】
前後方向の縦軸線と、該縦軸線上に船首と、該船首に固定された３次元低抗力没水浮揚体とを備え、該浮揚体が前後方向の軸線および外面を有し、該外面は、a）平面図上で前記浮揚体の前縁を画成するように平面図上で前記船体の前記前後方向の軸線に中心がある第１の放物曲線に略合致するとともに、ｂ）前記前後方向の軸線に平行な縦断面において、前記第１の放物曲線に頂点が位置する対称且つ略放物線形の翼曲線に合致し、前記放物翼の縦断面の厚さが前記前後方向の軸から前記浮揚体の縁部にかけて減少している船体を有することを特徴とする船。